(57)【要約】      （修正有）【課題】薬剤投入量を抑え、他の有害物質の再溶出や生物への影響を最小限に抑えた、土壌や灰および汚泥等の産業廃棄物に含まれる六価クロムの還元剤およびｐＨの調整剤の提供。【解決手段】アスコルビン酸３０〜９５重量部と、グルコース７０〜５重量部となるように混合した六価クロム還元剤およびｐＨ調整剤。【選択図】図４
2019131780.tif 000002
【特許請求の範囲】
【請求項１】
アスコルビン酸３０〜９５重量部と、グルコース７０〜５重量部となるように混合した六価クロム還元剤およびｐＨ調整剤。
【請求項２】
アスコルビン酸、アスコルビン酸ナトリウムの少なくともいずれか１８重量部〜２５重量部と、グルコース４２〜７０重量部と、硫酸アルミニウム５〜４０重量部となるように混合した六価クロム還元剤およびｐＨ調整剤。
【請求項３】
アスコルビン酸、アスコルビン酸ナトリウムの少なくともいずれか１８重量部〜２５重量部と、グルコース４２〜７０重量部と、硫酸アルミニウム、クエン酸、乳酸、リンゴ酸の少なくともいずれか５〜４０重量部となるように混合した六価クロム還元剤およびｐＨ調整剤。
【発明の詳細な説明】
【技術分野】
【０００１】  本発明は、土壌や灰および汚泥等の産業廃棄物に含まれる六価クロムの還元剤およびｐＨの調整剤に関する。
【背景技術】
【０００２】  従来の六価クロムの還元処理では、硫酸第一鉄を還元剤として還元処理する方法（例えば、特許文献１参照）がある。しかしながら、一般的に硫酸第一鉄、塩化第一鉄などの還元剤は、アルカリ性でＦｅ（ＯＨ）２となり、また、酸素と反応して酸化するなど、還元効果が低減することが知られている為、ｐＨを１０以下にした後に添加する必要がある。なお、亜硫酸ナトリウム、チオ硫酸ナトリウムなどの還元剤は、酸性で反応することにより還元効果を発する為、アルカリ性では反応性が乏しいことが知られている。
また、これらの薬剤は環境中に残存しやすく、生物への影響も懸念される。【０００３】  また、グルコースによる還元とキレート剤により、固定化する方法（例えば、特許文献２参照）がある。しかしながら、グルコースは末端にアルデヒド基が存在することにより還元性を示すが、還元力が乏しい（表１参照）。
また、キレート剤は高価であることから、処理費用が増大し生物への悪影響を及ぼすことが懸念される。【０００４】  また、増粘剤と還元剤としてのアスコルビン酸および／又はアスコルビン酸塩と、エリソルビン酸及び／又はエリソルビン酸塩との少なくとも一方を用いる方法（例えば、特許文献３参照）。還元剤としてのアスコルビン酸を測定により適量を添加する方法（例えば、特許文献４参照）がある。しかしながら、アスコルビン酸は、アルカリ性では爆発的に酸素と反応し、分解される。よってこれらの発明では、より多くのアスコルビン酸の添加が必要となる。また、アスコルビン酸は環境中で生分解されるが、薬剤の投入量が多くなることによって、他の有害物質の再溶出などの影響を及ぼすことが懸念される。更にエリソルビン酸、エリソルビン酸塩は、生物への悪影響や他の有害物質の再溶出などの影響を及ぼすことが懸念される。【０００５】  また、硫酸アルミニウムを不溶化の助剤としている方法（例えば、特許文献５参照）。軽焼マグネシアと生石灰と還元剤および酸性物質の１つとして硫酸アルミニウムを添加する方法（例えば、特許文献６参照）がある。しかしながら、いずれの方法も多量の薬剤の添加を必要とする。（特許文献５の方法では、対象物に対して５〜３０％。特許文献６の方法では、対象物に対して８〜１０％）この為、薬剤の投入量が多くなることによって、処理費用が増大し、他の有害物質の再溶出や生物への悪影響を及ぼすことが懸念される。
【先行技術文献】
【特許文献】
【０００６】
【特許文献１】特開２００１−１２１１０９
【特許文献２】特開２００８−２２９５４０
【特許文献３】特開２００８−２７２５５２
【特許文献４】特開平１１−１０４６１１
【特許文献５】特開２０１４−０５４６０２
【特許文献６】再表２００９／００１７１９
【発明の概要】
【発明が解決しようとする課題】
【０００７】  以上に述べた従来の六価クロムの還元剤では、アルカリ性では反応性に乏しく、還元効果が低減する。この為、十分な還元効果を得るためには、より多くの薬剤を添加する必要があり、生物への影響や他の有害物質が溶出してきやすくなる可能性があった。【０００８】  本発明は、このような従来あった薬剤の効果への影響を減少させ、また生物への影響も最小限に抑えることを実現することを目的とする。
【課題を解決するための手段】
【０００９】  本発明は、六価クロムの還元に有効であり、生物への影響も少ないアスコルビン酸およびアスコルビン酸ナトリウムは、アルカリ性では爆発的に酸素と反応し効果が低減する欠点を、土壌等の中和処理に使用する硫酸アルミニウム、クエン酸、乳酸、リンゴ酸の少なくともいずれかを加えることにより、ｐＨを調整し、最大の還元効果を実現させたものである。【００１０】  また、単独では六価クロムの還元効果が低いグルコースを、アスコルビン酸や硫酸アルミニウム、クエン酸、乳酸、リンゴ酸の少なくともいずれかと組み合わせることにより、相乗効果で六価クロムの還元効果を高め、高価となるアスコルビン酸の使用量を減らすとともに、十分な六価クロムの還元効果を得られることを実現させたものである。【００１１】  また、硫酸アルミニウム本来の凝集作用により、重金属類の凝集封じ込め作用や、薬剤の添加量の減少による他の有害物質が溶出への影響の低減を実現させたものである。
【発明の効果】
【００１２】  上述のように本発明は、アルカリ性の対象物でも、ｐＨ調整を同時にすることによって、使用する還元剤の反応を有益に行えるとともに、薬剤の使用量を減らすことによる、生物への影響や他の有害物質が溶出される懸念を最小限に抑えることを提供できる。
【図面の簡単な説明】
【００１３】
【図１】アスコルビン酸とグルコースおよび硫酸アルミニウムの還元力の比較
【図２】アスコルビン酸とグルコースおよび硫酸アルミニウムのｐＨの比較
【図３】アスコルビン酸とグルコースの還元力とｐＨの比較（長期安定性）
【図４】アスコルビン酸とグルコースの混合比率の違いよる還元力の効果の比較
【図５】アスコルビン酸とグルコースの混合比率の違いよるｐＨの効果の比較
【図６】アスコルビン酸とグルコースおよび硫酸アルミニウムの混合比率による還元力の比較
【図７】アスコルビン酸とグルコースおよび硫酸アルミニウムの混合比率によるｐＨの比較
【図８】薬剤の混合比率
【図９】グルコースと硫酸アルミニウムの組合せによる還元力の効果の比較
【図１０】グルコースと硫酸アルミニウムの組合せによるｐＨの効果の比較
【図１１】アスコルビン酸とグルコースおよび本剤の還元力とｐＨの比較
【図１２】試験試料への薬剤添加による六価クロムの変化
【図１３】試験試料への薬剤添加によるｐＨの変化
【図１４】試験試料の溶出試験結果
【図１５】試験試料原体と還元剤Ａを添加した時の他の有害物質への影響の比較
【図１６】試験試料原体と還元剤Ａを添加した時における酸添加試験による他の有害物質への影響の比較
【図１７】試験試料原体と還元剤Ａを添加した時におけるアルカリ添加試験による他の有害物質への影響の比較
【発明を実施するための形態】
【００１４】  以下、本発明の実施の形態を表１〜表１７に基づいて説明する。
【００１５】  表１においては、アスコルビン酸とグルコースおよび硫酸アルミニウムの添加量による還元力を比較した結果である。
【００１６】  表１の結果より、アスコルビン酸は０．１０％以上の添加量で顕著な効果が現れたが、グルコースおよび硫酸アルミニウムは１．０％の添加量でも効果はなかった。
【００１７】  表２においては、アスコルビン酸とグルコースおよび硫酸アルミニウムの添加量によるｐＨを比較した結果である。
【００１８】  表２の結果より、アスコルビン酸は０．２０％以上の添加量で中性となり顕著な効果が現れた。グルコースは０．５０％以上の添加量でも効果はなかった。硫酸アルミニウムはｐＨをアルカリ性から酸性側に調整できることが確認できた。
表１および表２の結果から、アスコルビン酸では０．２０％以上の添加量で六価クロムの還元およびｐＨ調整ができることから、今後の試験の添加量は０．２０％以上とすることで試験を実施した。
【００１９】  表３においては、「アスコルビン酸とグルコースの還元力とｐＨの比較（長期安定性）」を確認した結果である。
試験方法は、六価クロムを５．４ｍｇ／Ｌ、ｐＨを１２．１とした水溶液に、アスコルビン酸とグルコースをそれぞれ０．２％添加した後の変化を確認した。
【００２０】  表３の結果より、アスコルビン酸は、六価クロムの低減に効果があり、またｐＨ調整も可能で効果は高かった。
グルコースは、六価クロムの低減やｐＨ調整には効果は低かった。しかしながら、安価であるグルコースを主体として、効果を高めることが可能であれば、より実用的であることから、グルコースを主体とした混合割合での試験を行った。結果を表４および表５に示した。
【００２１】  表４の結果より、アスコルビン酸３５重量部以上とグルコース６５重量部未満の組み合わせでは、顕著な効果が現れた。
表５の結果より、アスコルビン酸とグルコースの組み合わせでは、アスコルビン酸の量が増加するに従い、ｐＨの中性側への効果が確認できたが、僅かな効果の上昇であった。
これらから、更に効果を高める必要のあるアスコルビン酸とグルコースの組み合わせとして、アスコルビン酸３０重量部とグルコース７０重量部の比率を基準に、より六価クロムの還元が可能となり、ｐＨの効果を高める効果を確認するための表６および表７の試験を行った。
この際にｐＨ調整が難しいのは、アスコルビン酸ナトリウムとグルコースで、アスコルビン酸ナトリウムは還元力はあるが、酸としての働きはなく、液性は中性であることと、グルコースは表２および表３の結果からも分かるように、酸性側へのｐＨ調整効果が低いことがわかる。また、表１と表２および表３の結果からも六価クロムの還元には、ｐＨ調整が重要であることから、ｐＨ調整用の薬剤として硫酸アルミニウム、クエン酸、乳酸、リンゴ酸の少なくともいずれかを使用する。硫酸アルミニウムは、酸性であることから一般的に土壌の中和剤として使われている。また、硫酸アルミニウムはアルカリ分と反応して水酸化アルミニウムの重合物を生じ、中性付近では陽性電荷をもつ為、反対の電荷をもっている粘土や有機物などと中和して凝集することが知られている。なお、、クエン酸、乳酸、リンゴ酸は食品添加物として、食品のｐＨ調整用に使われている。
【００２２】  表６は、「アスコルビン酸とグルコースおよび硫酸アルミニウムの混合比率による還元力の比較」を確認した。
試験方法は、表６に示した混合割合で、アスコルビン酸・グルコース・硫酸アルミニウムを混合した薬剤を０．２％添加した後の変化を確認した。
【００２３】  表６の結果より、六価クロムが硫酸アルミニウムの混合量が表４の試験のように０重量部では、０．０９ｍｇ／Ｌであったものが、アスコルビン酸が少量で還元力の弱いグルコースが主体でも、硫酸アルミニウムを混合することによって、０．００ｍｇ／Ｌとなった。なお、硫酸アルミニウムの混合量が２０重量部から３０重量部では、効果が不十分であったが、グルコースの量を減少させ、アスコルビン酸や硫酸アルミニウムを増加させることにより、効果が増大することが予測できる。
よって、表６の結果から、アスコルビン酸・グルコース・硫酸アルミニウムを混合することによる効果を確認できた。
【００２４】  表７は、「アスコルビン酸とグルコースおよび硫酸アルミニウムの混合比率によるｐＨの比較」を確認した。
試験方法は、表７に示した混合割合で、アスコルビン酸・グルコース・硫酸アルミニウムを混合した薬剤を０．２％添加した後の変化を確認した。
【００２５】  表７の結果より、ｐＨが硫酸アルミニウムの混合量が表５の試験のように０重量部ではｐＨが、１１．０までが限界であったが、アスコルビン酸が少量で還元力の弱いグルコースが主体でも、硫酸アルミニウムを混合することによって、六価クロムの還元が顕著であるとともにｐＨが９台まで調整できる結果となった。
よって、表７の結果から、アスコルビン酸・グルコース・硫酸アルミニウムを混合することによる効果を確認できた。
また、アスコルビン酸は、酸としての働きの他に、強い還元剤としての働きを有する。
アスコルビン酸ナトリウムは、酸としての働きはないが、強い還元剤としての働きを有する。
グルコースは、酸としての働きはないが、還元剤としての働きを有する。
ここで、酸としての働きのないアスコルビン酸ナトリウムやグルコースには、特に硫酸アルミニウムによるｐＨ調整の補助剤としての有効性が更に高まることがわかった。
よって、アスコルビン酸が１８重量部以上、グルコースが４２重量部〜７０重量部、硫酸アルミニウムが５重量部〜４０重量部の範囲の組み合わせが、六価クロムの低減とｐＨの酸性側への調整に効果があることを確認した。
【００２６】  アスコルビン酸やアスコルビン酸ナトリウムと同等の効果を期待できる薬剤として、エリソルビン酸やエリソルビン酸ナトリウムも還元剤としての働きを有するが、生物への影響が懸念されることや、グルコースと硫酸ナトリウムおよびアスコルビン酸やアスコルビン酸ナトリウムの混合添加による効果が高いことから、本発明では使用していない。
【００２７】  更に表８に示した混合割合で試験試料による添加試験を行った。
表８の還元剤は、表６で六価クロムの還元に効果を示し、かつアスコルビン酸が最小量で効果が認められた、混合比率で作成したものを試験用に用いた。
試験は、液体試料、六価クロムを５．４ｍｇ／Ｌ、ｐＨを１２．５とした水溶液で、本発明表８の混合比率で混合した還元剤を０．０５％〜０．３０％まで０・０５％刻みで添加した結果を、アスコルビン酸とグルコースおよび硫酸アルミニウム単独で試験を実施した表１および表２の結果と比較する為に還元剤による試験結果を追記して、表９および表１０に示した。
また、アスコルビン酸とグルコースおよび硫酸アルミニウム単独で長期安定性の試験を実施した表３の結果と比較するために、本発明表８の混合割合で混合した還元剤を０．２０％添加し、１０日後の確認試験を表３に追記して、表１１に示した。
【００２８】  表９の結果より、六価クロムの還元効果は０．１０％以上の添加で、効果を確認した。
【００２９】  表１０の結果より、ｐＨの調整効果は０．１０％以上の添加で、効果を確認した。
【００３０】  表１１の結果より、本発明による薬剤の混合添加試験で、１０日後にはアスコルビン酸単独では５．４ｍｇ／Ｌから０．０１ｍｇ／Ｌ未満と低減していたが、本発明も５．４ｍｇ／Ｌから０．０１ｍｇ／Ｌ未満と低減しており、六価クロムの還元はアスコルビン酸単独と同等の結果を得ることができた。
ｐＨは、アスコルビン酸単独では１２．５から６．６と中性側に傾いたのに対して、本発明の添加では１２．５から６．３と僅かであるが中性側へのｐＨ調整効果が高かった。
【実施例】
【００３１】  表８の混合割合で試験試料への添加試験結果を表１２および表１３に示した。
添加量は、液体試料での添加量０．２０％と、固体試料では多くの有機物や化学物質が多く含有されている可能性があり、目的物質以外の反応が予測されることから、過剰に添加した場合で０．０５％添加した条件で試験を実施した。【００３２】  試験試料は、「石炭灰とＰＳ灰」の混灰試料と「土壌と石炭灰」の混合試料を用意した。それぞれ１重量部に対して１重量部の割合で混合して、更に混合試料に対して、ポルトランドセメントを１．５〜３％添加混合したものを使用した。１重量部に対して１重量部の割合で混合した理由は、これまでの傾向から試験試料が単独の場合は、目立った汚染物質の溶出は少ないが、混合された試料では、汚染物質が溶出しやすい傾向にあること、また、ポルトランドセメントを添加した理由は、軟弱地盤などではポルトランドセメントを始めとするセメントの使用による地盤の強度安定化を実施することが多く、このことにより六価クロムの溶出が問題となる事例が多い為、ポルトランドセメントの添加をした試料を試験試料として選択した。【００３３】  試験の方法は環告４６号（「土壌の汚染に係る環境基準について」）に準じて、分析をした。風乾した試料を粗砕した後、非金属性の２ｍｍのふるいを通過させた試料と溶媒（純水）を重量体積比１０％の割合で混合し、その混合液が５００ｍｌ以上となるようにする。試料液を浸とう回数毎分２００回・振とう幅を４ｃｍ以上５ｃｍ以下に調整して、６時間連続浸とうする。その後、１０分から３０分静置後、毎分３０００回転で２０分遠心分離した後の上澄み液を、孔径０．４５μｍのメンブランフィルターでろ過したろ液を試験溶液とする。
この試験溶液を、日本工業規格６５．２．１のジフェニルカルバジド吸光光度法によって、分析した。【００３４】  表１２は添加試験の六価クロムの結果を示した。
１回目の「石炭灰とＰＳ灰」の混灰試料に対しての添加試験での０．５０％添加の場合は、開始前に０．０９ｍｇ／Ｌであったが、１週間後では０．０１ｍｇ／Ｌとなり、３週間後でも０．０１ｍｇ／Ｌと安定していた。  ０．２０％添加の場合でも、開始前に０．０９ｍｇ／Ｌであったが、１週間後では０．０３ｍｇ／Ｌとなり、３週間後でも０．０３ｍｇ／Ｌと安定していた。
１回目の「土壌と石炭灰」の混合試料では、０．５０％添加の場合は、開始前に０．０７ｍｇ／Ｌであったが、１週間後では０．０１ｍｇ／Ｌとなり、３週間後でも０．０１ｍｇ／Ｌと安定していた。
２回目の「石炭灰とＰＳ灰」の混灰試料に対しての添加試験では、０．０５％添加の場合は、開始前に０．１４ｍｇ／Ｌであったが、１週間後では０．０２ｍｇ／Ｌとなり、３週間後でも０．０２ｍｇ／Ｌと安定していた。
２回目の「土壌と石炭灰」の混合試料では、０．５０％添加の場合は、開始前に０．０７ｍｇ／Ｌであったが、１週間後では０．０３ｍｇ／Ｌとなり、３週間後でも０．０２ｍｇ／Ｌと安定していた。
これらの試験結果から、時間の経過とともに六価クロムが低減していき、六価クロムが安定した結果となった。【００３５】  表１３は添加試験のｐＨの結果を示した。ｐＨの試験方法は、日本工業規格１２．１のガラス電極法で測定した。
１回目の「石炭灰とＰＳ灰」の混灰試料に対しての添加試験では、０．５０％添加の場合は、開始前に１１．１であったが、１週間後では８．６となり、３週間後でも８．５と安定していた。  ０．２０％添加の場合でも、開始前に１１．１であったが、１週間後では８．９となり、３週間後でも８．８と安定していた。
１回目の「土壌と石炭灰」の混合試料では、０．５０％添加の場合は、開始前に９．３であったが、１週間後では９．５となり、３週間後でも９．２と安定していた。
２回目の「石炭灰とＰＳ灰」の混灰試料に対しての添加試験では、０．５０％添加の場合は、開始前に１１．３であったが、１週間後では９．２となり、３週間後でも９．３と安定していた。
２回目の「土壌と石炭灰」の混合試料では、０．５０％添加の場合は、開始前に９．３であったが、１週間後では９．０となり、３週間後でも９．１と安定していた。
これらの試験結果から、時間の経過とともにｐＨが低減していき、ｐＨが安定した結果となった。【００３６】  表１４は、試験試料の六価クロム以外の有害金属の溶出量を環告４６号によって、分析した結果である。六価クロム以外ではふっ素が基準値の０．８ｍｇ／Ｌを超える０．９ｍｇ／Ｌであった。【００３７】  表１５は、試験試料原体と試験試料原体に本薬剤を０．５０％添加した時の溶出量を環告４６号によって、分析した結果である。本薬剤を添加すると六価クロムとふっ素が低減して、他の有害物質には影響はなかった。【００３８】  表１６および表１７は、「酸・アルカリ添加試験による他の有害物質への影響」の有無を確認した。酸添加試験は酸性雨による暴露の影響を確認するため、アルカリ添加試験はコンクリート建造物との長期接触による影響を確認するために実施した。試験方法は、一般社団法人土壌環境センター提案の「酸・アルカリ試験」による方法で評価した。
酸添加試験は、硫酸を添加して酸性にした溶媒を、アルカリ試験は、消石灰を添加してアルカリ性にした溶媒を環告４６号試験と同様の操作によって、作成した溶媒を試験溶液として、日本工業規格６５．２．１のジフェニルカルバジド吸光光度法によって、分析した。【００３９】  表１６は酸添加試験の結果である。六価クロムが０．０５ｍｇ／Ｌだった試験試料が、酸添加試験では０．０５ｍｇ／Ｌと変わらず、本薬剤を添加した酸添加試験では０．０４ｍｇ／Ｌとなった。フッ素は０．９ｍｇ／Ｌだった試験試料が、酸添加試験では０．８ｍｇ／Ｌとなり、本薬剤を添加した酸添加試験では０．６ｍｇ／Ｌとなった。カドミウム・全シアン・鉛・砒素・全水銀・セレン・ｐＨには大きな影響はなかった。本薬剤の添加による六価クロムやフッ素の溶出は、酸における影響が低減できることを確認した。【００４０】  表１７はアルカリ添加試験の結果である。六価クロムが０．０５ｍｇ／Ｌだった試験試料が、アルカリ添加試験では０．０６ｍｇ／Ｌとなり、本薬剤添加したアルカリ添加試験では０．０１ｍｇ／Ｌ未満となった。フッ素が、０．９ｍｇ／Ｌだった試験試料が、アルカリ添加試験では１．３ｍｇ／Ｌとなり、本有悪剤を添加したアルカリ添加試験では１．１ｍｇ／Ｌとなった。カドミウム・全シアン・鉛・砒素・全水銀・セレンには大きな影響はなかった。ｐＨはアルカリ側に傾いた。本試験結果より、六価クロムには影響が出ていないことを確認した。また、フッ素がアルカリ試験において僅かに影響が出ているが、本発明による薬剤を添加することによって影響が軽減されていた。【００４１】  このように、本発明は環境への影響が少ない薬剤を主体とし、従来の六価クロムの還元効果が低かったグルコースを使用しながらも、十分な還元効果を発揮することが可能となり、かつｐＨの中性側への調整を実現した。また、本発明による薬剤の添加による他の有害物質への影響も最小限に止めることが実現された。
【図１】
2019131780.tif 000003
【図２】
2019131780.tif 000004
【図３】
2019131780.tif 000005
【図４】
2019131780.tif 000006
【図５】
2019131780.tif 000007
【図６】
2019131780.tif 000008
【図７】
2019131780.tif 000009
【図８】
2019131780.tif 000010
【図９】
2019131780.tif 000011
【図１０】
2019131780.tif 000012
【図１１−１】
2019131780.tif 000013
【図１１−２】
2019131780.tif 000014
【図１２】
2019131780.tif 000015
【図１３】
2019131780.tif 000016
【図１４】
2019131780.tif 000017
【図１５】
2019131780.tif 000018
【図１６】
2019131780.tif 000019
【図１７】
2019131780.tif 000020
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
アスコルビン酸、アスコルビン酸ナトリウムの少なくともいずれか１８重量部〜２５重量部と、グルコース４２〜７０重量部と、硫酸アルミニウム５〜４０重量部となるように混合した六価クロム還元剤およびｐＨ調整剤。
【手続補正２】
【補正対象書類名】明細書
【補正対象項目名】０００９
【補正方法】変更
【補正の内容】
【０００９】  本発明は、六価クロムの還元に有効であり、生物への影響も少ないアスコルビン酸およびアスコルビン酸ナトリウムは、アルカリ性では爆発的に酸素と反応し効果が低減する欠点を、土壌等の中和処理に使用する硫酸アルミニウムを加えることにより、ｐＨを調整し、最大の還元効果を実現させたものである。
【手続補正３】
【補正対象書類名】明細書
【補正対象項目名】００１０
【補正方法】変更
【補正の内容】
【００１０】  また、単独では六価クロムの還元効果が低いグルコースを、アスコルビン酸や硫酸アルミニウムと組み合わせることにより、相乗効果で六価クロムの還元効果を高め、高価となるアスコルビン酸の使用量を減らすとともに、十分な六価クロムの還元効果を得られることを実現させたものである。
【手続補正４】
【補正対象書類名】明細書
【補正対象項目名】００２１
【補正方法】変更
【補正の内容】
【００２１】  図面４の結果より、アスコルビン酸３５重量部以上とグルコース６５重量部未満の組み合わせでは、顕著な効果が現れた。
図面５の結果より、アスコルビン酸とグルコースの組み合わせでは、アスコルビン酸の量が増加するに従い、ｐＨの中性側への効果が確認できたが、僅かな効果の上昇であった。
これらから、更に効果を高める必要のあるアスコルビン酸とグルコースの組み合わせとして、アスコルビン酸３０重量部とグルコース７０重量部の比率を基準に、より六価クロムの還元が可能となり、ｐＨの効果を高める効果を確認するための図面６および図面７の試験を行った。
この際にｐＨ調整が難しいのは、アスコルビン酸ナトリウムとグルコースで、アスコルビン酸ナトリウムは還元力はあるが、酸としての働きはなく、液性は中性であることと、グルコースは図面２および図面３の結果からも分かるように、酸性側へのｐＨ調整効果が低いことがわかる。また、図面１と図面２および図面３の結果からも六価クロムの還元には、ｐＨ調整が重要であることから、ｐＨ調整用の薬剤として硫酸アルミニウムを使用する。硫酸アルミニウムは、酸性であることから一般的に土壌の中和剤として使われている。また、硫酸アルミニウムはアルカリ分と反応して水酸化アルミニウムの重合物を生じ、中性付近では陽性電荷をもつ為、反対の電荷をもっている粘土や有機物などと中和して凝集することが知られている。
【手続補正５】
【補正対象書類名】明細書
【補正対象項目名】００２６
【補正方法】変更
【補正の内容】
【００２６】  アスコルビン酸やアスコルビン酸ナトリウムと同等の効果を期待できる薬剤として、エリソルビン酸やエリソルビン酸ナトリウムも還元剤としての働きを有するが、生物への影響が懸念されることや、グルコースと硫酸アルミニウムおよびアスコルビン酸やアスコルビン酸ナトリウムの混合添加による効果が高いことから、本発明では使用していない。